(57)【要約】【課題】摺洗と掻き取りの両方に使用できるスクレーパー付摺洗具を提供する。【解決手段】スクレーパー付摺洗具(1)は、摺洗体(10)と、上下方向に貫通する保持孔を有し、前記摺洗体(10)を前記保持孔に挿入した状態に保持する保持体(20)と、前記保持体(20)の外周部から外向きに突出するスクレーパー(21)とを備える。また、前記摺洗体(10)の直径が前記保持体(10)の保持孔の孔径よりも大きく設定され、圧縮状態で保持孔に挿入された摺洗体(10)が、挿入後の圧縮復元力によって保持孔内に保持される。【選択図】    図１
2005342073.tif 000002
【特許請求の範囲】
【請求項１】
摺洗体と、上下方向に貫通する保持孔を有し、前記摺洗体を前記保持孔に挿入した状態に保持する保持体と、前記保持体の外周部から外向きに突出するスクレーパーとを備えることを特徴とするスクレーパー付摺洗具。
【請求項２】
前記摺洗体の直径が前記保持体の保持孔の孔径よりも大きく設定され、圧縮状態で保持孔に挿入された摺洗体が、挿入後の圧縮復元力によって保持孔内に保持される請求項１に記載のスクレーパー付摺洗具。
【請求項３】
前記摺洗体の上部に前記保持体の保持孔の孔径よりも大きくかつ非圧縮性の係止部が形成され、該係止部が前記保持孔の上面側に抜け止め状態に係止されることにより摺洗体が保持される請求項１に記載のスクレーパー付摺洗具。
【請求項４】
前記スクレーパーは、前記保持体の外周部に設けられた支持部を介して着脱自在に取付けられる請求項１〜３のいずれか１項に記載のスクレーパー付摺洗具。
【請求項５】
前記保持体に把持用キャップが装着される請求項１〜４のいずれか１項に記載のスクレーパー付摺洗具。
【請求項６】
前記摺洗体は、上部のスポンジと下部の不織布とを貼り合わせたものである請求項１〜５のいずれか１項に記載のスクレーパー付摺洗具。
【発明の詳細な説明】
【技術分野】
【０００１】
この発明は、食器や調理器具等の洗浄に用いるスクレーパー付摺洗具に関する。
【背景技術】
【０００２】
食器を洗浄する際には、食べ残しの食物を取り除いておくことにより、洗浄の手間や洗剤を節約することができる。食器洗浄機を用いる場合にも食べ残しは事前に取り除いておく必要がある。また、洗浄廃水に食物が混入すると環境に対する負荷が大きくなるため、ソースや煮汁等の液状物もできる限り除去しておくことが好ましい。このような液状物を含む食べ残しの除去には、液状物まで掻き取れる樹脂製のスクレーパーが用いられている（非特許文献１）。
【非特許文献１】スクレーパー、〔平成１６年５月１８日検索〕、インターネット〈ＵＲＬ：http://www.marna-inc.co.jp/seihin/kitchen.html〉
【発明の開示】
【発明が解決しようとする課題】
【０００３】
しかしながら、食器洗浄にはスクレーパーとスポンジのような摺洗具の両方が必要であり、両者を持ち替えながらの洗浄作業は面倒である。
【課題を解決するための手段】
【０００４】
本発明は、上述した背景に鑑み、摺洗と掻き取りの両方に使用できるスクレーパー付摺洗具の提供を目的とする。
【０００５】
即ち、本発明のスクレーパー付摺洗具は、下記［１］〜［６］に記載の各構成を有するものである。
【０００６】
［１］  摺洗体と、上下方向に貫通する保持孔を有し、前記摺洗体を前記保持孔に挿入した状態に保持する保持体と、前記保持体の外周部から外向きに突出するスクレーパーとを備えることを特徴とするスクレーパー付摺洗具。
【０００７】
［２］  前記摺洗体の直径が前記保持体の保持孔の孔径よりも大きく設定され、圧縮状態で保持孔に挿入された摺洗体が、挿入後の圧縮復元力によって保持孔内に保持される前項１に記載のスクレーパー付摺洗具。
【０００８】
［３］  前記摺洗体の上部に前記保持体の保持孔の孔径よりも大きくかつ非圧縮性の係止部が形成され、該係止部が前記保持孔の上面側に抜け止め状態に係止されることにより摺洗体が保持される前項１に記載のスクレーパー付摺洗具。
【０００９】
［４］  前記スクレーパーは、前記保持体の外周部に設けられた支持部を介して着脱自在に取付けられる前項１〜３のいずれか１項に記載のスクレーパー付摺洗具。
【００１０】
［５］  前記保持体に把持用キャップが装着される前項１〜４のいずれか１項に記載のスクレーパー付摺洗具。
【００１１】
［６］  前記摺洗体は、上部のスポンジと下部の不織布とを貼り合わせたものである前項１〜５のいずれか１項に記載のスクレーパー付摺洗具。
【発明の効果】
【００１２】
［１］のスクレーパー付摺洗具によれば、食器等に当てる角度を変えるだけで、摺洗と掻き取りの両方をを行うことができる。
【００１３】
［２］のスクレーパー付摺洗具では、摺洗体の着脱が容易であり、摺洗体を取り替えることもできる。
【００１４】
［３］のスクレーパー付摺洗具では、圧縮変形性および復元力の小さい摺洗体でも保持体に取り付けることができ、摺洗体を取り替えることもできる。
【００１５】
［４］のスクレーパー付摺洗具では、スクレーパーを取り替えることができる。
【００１６】
［５］のスクレーパー付摺洗具では、握りやすく力を入れやすい。
【００１７】
［６］のスクレーパー付摺洗具では、圧縮変形性の小さい不織布による摺洗体でも保持体に取付けることができる。
【発明を実施するための最良の形態】
【００１８】
［第１実施形態］
図１および図２に、本発明のスクレーパー付摺洗具(1)の一実施形態を示す。
【００１９】
スクレーパー付摺洗具(1)は、摺洗本体(10)と、スクレーパー(21)を取り付けた保持体(20)とにより構成されている。
【００２０】
摺洗体(10)は、円柱形に形成され、柔軟で圧縮性に富むスポンジ(11)とスポンジよりも硬質で摺洗力の高い不織布(12)の２種類の摺洗部材が上下に貼り合わされたものである。
【００２１】
保持体(20)は、保持孔(22)を有する環状部(23)と、該環状部(23)の外周縁から外向き上方に突出する板状の支持部(24)とが一体に形成された樹脂成形品である。前記保持孔(22)の孔径は前記摺洗体(10)の直径の略１／２に設定されている。また、前記支持部(24)の先端縁には、開口部で幅が狭くなった係合溝(25)が支持部(24)の長さ方向に沿って形成されている。
【００２２】
スクレーパー(21)は、板状であり、基端部に前記係合溝(25)に嵌合される厚肉の係合凸条(26)が形成され、先端部は掻き取り効果を高めるためにテーパにカットされている。また、前記スクレーパー(21)の材料は、食器等に傷をつけずかつ可撓性を有して優れた掻き取り効果を得られる材料が好ましく、特にエラストマーが好ましい。
【００２３】
前記摺洗体(10)の前記保持体(20)への取付けは、環状部(23)の保持孔(22)を貫くように摺洗体(10)の上部のスポンジ(11)を挿入することにより行う。スポンジ(11)は圧縮変形性に富むものであり、圧縮力を加えて縮径させると小径の保持孔(22)内に挿入でき、挿入後に圧縮力を解除すると復元して径が拡大して抜け止め状態となる。また、支持部(24)の係合溝(25)の端部からスクレーパー(21)の係合凸条(26)を嵌め入れてスライドさせることにより、スクレーパー(21)は支持部(24)に抜け止め状態に係止される。前記摺洗体(10)を外すには該摺洗体(10)を下方に引き下ろし、スクレーパー(21)を外すには該スクレーパー(21)を任意方向にスライドさせて係合溝(25)から抜けば良い。
【００２４】
前記スクレーパー付摺洗具(1)は、環状部(23)を握って摺洗体(10)を食器等に摺り付けて摺洗することも、スクレーパー(21)を使って掻き取りを行うこともできる。摺洗具(1)の食器等に当てる角度を変えるだけで、摺洗と掻き取りに使い分けることができる。また、摺洗体(10)、スクレーパー(21)が共に保持体(20)に対して脱着自在であり、消耗すれば取り替えることができる。
［第２実施形態］
図３Ａおよび図３Ｂに、スクレーパー付摺洗具における他の保持体(30)を示す。
【００２５】
保持体(30)は、外壁(31)と内壁(32)とが上壁(33)で連結された二重構造の円筒状体であり、上下方向に長い保持孔(34)が形成されている。
【００２６】
前記外壁(31)の下方部には、外方に突出する段部(35)が形成され、段部(35)の若干上方で周方向４等分位置に畝状突起(36)が形成されている。また、前記外壁(31)の段部(35)の外周部には、第１実施形態の支持部(24)と同様に、外向き上方に突出する板状の支持部(37)が設けられ、その先端縁にはスクレーパー(21)を取り付ける係合溝(38)が形成されている。また、前記内壁(32)の高さ方向中間部には、周方向に沿って、保持孔(34)の中心方向に突出する複数の突起(39)が設けられ、下端部には下方に突出する突起(40)が設けられている。
【００２７】
前記保持体(30)への摺洗具本体(10)の着脱は、第１実施形態の保持体(20)と同様に、保持孔(34)内にスポンジ(11)を圧縮して押し込むように挿入することにより行う。装着状態において（図示省略）、内壁(32)の周面と下端部の突起(39)(40)がスポンジ(11)に食い込んで抜けにくくなり、摺洗体(10)のズレが抑制される。
【００２８】
さらに、本実施形態の保持体(30)には把持用キャップ(41)が装着される。
【００２９】
図３Ａに示すように、キャップ(41)は下面側が開口するドーム状であり、上方部に縮径された握り部(42)を有する。また、下端縁の内周面には凸縁(43)が形成されている。
【００３０】
保持体(30)の畝状突起(36)とキャップ(41)の凸縁(43)とをかみ合わせるようにキャップ(41)を保持体(30)に被せ、キャップ(41)の下端面を段部(35)に当接させる。これにより、キャップ(50)は保持体(30)に装着される。
【００３１】
このようなキャップ(41)を装着した場合は、直接保持体(30)や摺洗体(10)に触れずに握ることができるから、握りやすく力を入れやすい。勿論、摺洗体(10)による摺り洗いとスクレーパー(21)による掻き取りの使い分けも、食器等への角度を変えるだけで良い。また、キャップ(41)を装着するために保持体(30)の高さを高く設定し、その結果保持孔(34)が上下方向に長くなっても、保持孔(34)内に突起(39)を設けることによって摺洗体(10)のずれを防止することができる。なお、保持孔の長さが短い場合にも保持孔(34)内および下端部に突起を設けても良い。例えば第１実施形態の保持体(20)の環状部(23)に突起を設けることにより、摺洗体(10)のずれ防止効果を高めることができる。
【００３２】
本発明のスクレーパー付摺洗具は、上述した２つの実施形態に限定されない。
【００３３】
保持孔の形状は円形に限定れず、角形や任意の不定形でも良い。
【００３４】
保持体とスクレーパーの着脱構造は、溝と凸条の組合せに限定されない。また、接着、溶着、リベット止め等による固着や一体成形によって、スクレーパーの取り外しができないものも本発明に含まれる。
【００３５】
摺洗体は、ウレタンフォーム等の樹脂フォーム、アクリルやナイロン等の合成樹脂繊維を三次元的に絡ませ、かつ繊維を部分的に溶着させた不織布、樹脂フォームや不織布からなる基材に砥粒を付着させたもの、金属カールたわし等の任意のものを使用できる。弾力性や圧縮変形性が小さく圧縮の復元力による保持力が不十分な場合は、上記実施形態における摺洗体(10)のように上部にスポンジ(11)等の圧縮変形性および復元力に富む材料を貼り合わせれば良く、いかなる材料も使用できる。また、摺洗体の形状は円柱形に限定されず、角柱形や任意の不定形でも良い。
【００３６】
また、以下のようにすれば摺洗体の圧縮変形性に依らずとも保持孔に係止させることができ、かつ取り替えることもできる。なお、以下の図面および説明において、図１〜図３Ｂと同一符号で示すものは同じものを示すものとして重複する説明を省略する。
［第３実施形態］
スクレーパー付摺洗具において、図４Ａおよび図４Ｂに示す保持体(50)および図５に示す係止用部材(70)を用いる。
【００３７】
保持体(50)は、第２実施形態の保持体(30)と同様の外壁(51)および内壁(52)による二重構造の円筒状体であり、円筒状体を上下に分かつ仕切板(53)の中心に小径の保持孔(54)が穿設され、さらにこの保持孔(54)に連結する大径の挿入孔(55)が穿設されている。また、係止用部材(70)は、軸部(71)の両端に径大の係止部(72)(73)を有する。図４Ｂにおいて、(56)(57)は外壁(51)と内壁(52)の間に設けられたリブであり、下端部に突起(58)が形成されている。
【００３８】
そして、まず係止用部材(70)を摺洗体(13)の取付孔(14)に貫通させ、一方の係止部(73)によって該摺洗体(13)に抜け止め状態に取付ける。次に、他方の係止部(72)を前記保持体(50)の挿入孔(55)を貫いた状態に挿入したのち、小径の軸部(71)を保持孔(54)にスライドさせ、保持孔(54)の上面側において他方の係止部(72)を抜け止め状態に係止させる。このような取付方法であれば、圧縮変形性および復元力の小さい不織布でも容易に保持体に取り付けることができる。外す場合は、係止用部材(70)を挿入孔(55)にスライドさせてから抜けば良い。
【００３９】
なお、前記保持孔(54)の上面側に係止される他方の係止部(72)は、本発明の請求項３における非圧縮性の係止部に対応するものである。
［第４実施形態］
また、スクレーパー付摺洗具において、図６Ａおよび図６Ｂに示す保持体(60)と前記係止用部材(70)とを組み合わせることによっても摺洗体(13)を装着することができる。
【００４０】
保持体(60)は、内壁(32)内に設けた仕切板が中心の保持孔(62)から放射状に切り込まれて三角形の舌状片(63)が多数形成されている。そして、上述の第３実施形態と同様に摺洗体(13)に係止用部材(70)を取付け、他方の係止部(72)で前記舌状片(63)を押し上げて撓ませ（図６Ａ）、拡大された保持孔(62)を貫いて係止部(72)を挿入する。挿入後は舌状片(62)が復元して、保持孔(62)を小径の軸部(71)が貫くとともに、保持孔(62)の上面側で係止部(72)が抜け止め状態に係止される。また、外す場合は、係止用部材(70)を引き下ろして前記舌状片(63)を下方に撓ませ（図６Ｂ）、拡大された保持孔(62)から抜き取れば良い。
【００４１】
また、上述した保持体(50)(60)を用いて他の係止方法を採用することもできる。
例えば、図７に示すように、摺洗体(15)をネット(16)で包み、ネット(16)の端部を結束バンド等で括ってこぶ状の係止部(17)を形成する。そして、この係止部(17)を前記係止用部材(70)の他方の係止部(72)に代えて保持孔(54)(62)の上面側に係止させる。
【００４２】
このように、ネッ(16)トで包むことによって、単独では取付困難な摺洗体、例えば偏平金属条をらせん状の紐体とし、さらにこの紐体を巻回して成形してなる金属カールたわしについても保持体(50)(60)に取り付けることができる。
【図面の簡単な説明】
【００４３】
【図１】本発明のスクレーパー付摺洗具の一実施形態を示す斜視図である。
【図２】図１のスクレーパー付摺洗具の分解図である。
【図３Ａ】本発明のスクレーパー付摺洗具における他の保持体および把持用キャップを上から見た斜視図である。
【図３Ｂ】図３Ａの保持体を下から見た斜視図である。
【図４Ａ】本発明のスクレーパー付摺洗具におけるさらに他の保持体を上から見た斜視図である。
【図４Ｂ】図４Ａの保持体を下から見た斜視図である。
【図５】図４Ａの保持体に摺洗体を取り付けた状態を示す断面図である。
【図６Ａ】本発明のスクレーパー付摺洗具におけるさらに他の保持体を上から見た斜視図である。
【図６Ｂ】図６Ａの保持体を下から見た斜視図である。
【図７】本発明における他の摺洗体を示す断面図である。
【符号の説明】
【００４４】
１…スクレーパー付摺洗具
10,13,15…摺洗体
11…スポンジ
12…不織布
20,30,50,60…保持体
22,34,54,62…保持孔
17,72…係止部
41…把持用キャップ
【図１】
2005342073.tif 000003
【図２】
2005342073.tif 000004
【図３Ａ】
2005342073.tif 000005
【図３Ｂ】
2005342073.tif 000006
【図４Ａ】
2005342073.tif 000007
【図４Ｂ】
2005342073.tif 000008
【図５】
2005342073.tif 000009
【図６Ａ】
2005342073.tif 000010
【図６Ｂ】
2005342073.tif 000011
【図７】
2005342073.tif 000012